(57)【要約】【課題】作業者が、立ったまま草を引く抜くこと、さらに樹木の下など狭い空間でも容易に草を引き抜くことができ、かつ簡易な構造の草むしり器を提供する。【解決手段】作業者が、立ったまま草を引く抜くこと、さらに樹木の下など狭い空間でも容易に草を引き抜くことができる草むしり器であって、第１柄と、第１柄の下端部に取り付けた断面略弧状で先端に左刃を備える左挟持部と、第１柄に交差して回動可能に連結する第２柄と、第２柄の下端部に取り付けた断面略弧状で先端に左刃と噛み合う右刃を備える右挟持部と、左右挟持部の側部に立設し互いに噛み合う左右側面刃と、からなり、作業者が、第１、第２柄の上端部を近づけて左右挟持部及び左右側面刃を開き、左右挟持部又は左右側面刃を草の左右に配置し、その後、第１、第２柄の上端部を遠ざけて左右挟持部で草を挟み、引くことで、草を引き抜くことを特徴とする草むしり器の構成とした。【選択図】図１
0003167689.tif 000002
【実用新案登録請求の範囲】
【請求項１】
作業者が、立ったまま草を引く抜くこと、さらに樹木の下など狭い空間でも容易に草を引き抜くことができる草むしり器であって、
第１柄と、前記第１柄の下端部に取り付けた断面略弧状で先端に左刃を備える左挟持部と、前記第１柄に交差して回動可能に連結する第２柄と、前記第２柄の下端部に取り付けた断面略弧状で先端に前記左刃と噛み合う右刃を備える右挟持部と、前記左右挟持部の側部に立設し互いに噛み合う左右側面刃と、からなり、
作業者が、前記第１、第２柄の上端部を近づけて前記左右挟持部及び左右側面刃を開き、前記左右挟持部又は左右側面刃を草の左右に配置し、その後、前記第１、第２柄の上端部を遠ざけて前記左右挟持部で草を挟み、引くことで、草を引き抜くことを特徴とする草むしり器。
【請求項２】
前記左右刃及び前記左右側面刃の先端が、山と谷を交互に設けた形状で、かつ先端に向けテーパー状であることを特徴とする請求項１に記載の草むしり器。
【請求項３】
前記第１、第２柄の交差部に、各々凹みを設け、前記凹みに補強プレートを取り付けたことを特徴とする請求項１又は請求項２に記載の草むしり器。
【考案の詳細な説明】
【技術分野】
【０００１】
本考案は、作業者が、立ったまま草を引く抜くこと、さらに樹木の下など狭い空間でも容易に草を引き抜くことができる草むしり器に関する。
【背景技術】
【０００２】
庭、畑に生育する雑草を除去（草むしり）するには、手でむしる、鎌などの道具を使用している。しかしながら、その作業では腰をかがめる必要があり、長時間の作業はとても苦痛を伴うものである。
【０００３】
その作業を軽減するため、立ったまま草むしりする器具をいくつか考案されている。例えば、特許文献１には、草取り器具が、特許文献２には除草具ネコソギが開示されている。
【先行技術文献】
【特許文献】
【０００４】
【特許文献１】特開平０８−１４０４０１号公報
【特許文献２】特開２００２−２３３２０２号公報
【考案の概要】
【考案が解決しようとする課題】
【０００５】
しかしながら、いずれの発明も立って草を取ることはできるものの樹木の下など狭い空間では使用することはできなかった。また、複雑な構造で、コストも高いものであった。
【０００６】
そこで、本考案は、作業者が、立ったまま草を引く抜くこと、さらに樹木の下など狭い空間でも容易に草を引き抜くことができ、かつ簡易な構造の草むしり器を提供することを目的とする。
【課題を解決するための手段】
【０００７】
本考案は、上記課題を解決するために、（１）作業者が、立ったまま草を引く抜くこと、さらに樹木の下など狭い空間でも容易に草を引き抜くことができる草むしり器であって、第１柄と、前記第１柄の下端部に取り付けた断面略弧状で先端に左刃を備える左挟持部と、前記第１柄に交差して回動可能に連結する第２柄と、前記第２柄の下端部に取り付けた断面略弧状で先端に前記左刃と噛み合う右刃を備える右挟持部と、前記左右挟持部の側部に立設し互いに噛み合う左右側面刃とからなり、作業者が、前記第１、第２柄の上端部を近づけて前記左右挟持部及び左右側面刃を開き、前記左右挟持部又は左右側面刃を草の左右に配置し、その後、前記第１、第２柄の上端部を遠ざけて前記左右挟持部で草を挟み、引くことで、草を引き抜くことを特徴とする草むしり器の構成とした。
【０００８】
また、前記左右刃及び前記左右側面刃の先端が、山と谷を交互に設けた形状で、かつ先端に向けテーパー状であることを特徴とする（１）に記載の草むしり器。
【０００９】
前記第１、第２柄の交差部に、各々凹みを設け、前記凹みに補強プレートを取り付けたことを特徴とする（１）又は（２）に記載の草むしり器の構成とした。
【考案の効果】
【００１０】
作業者は、本考案の草むしり器を用いて、立ったまま草を引く抜くことができるので、作業者の草むしり作業が楽になる。
【００１１】
また、本考案が左右側面刃を備えることで、作業者は、第１、２柄を地面など草が生育する環境面と水平にして、左右側面刃によって草を挟持して草を引き抜くことができる。特に、作業者が入りにくい狭い場所、例えば樹木などの下に生える草の除去に最適である。
【００１２】
さらに、補強プレートを備えることで、柄の開閉作業を繰り返しても、柄の磨耗が少なく長持ちする。
【図面の簡単な説明】
【００１３】
【図１】本考案の一例である草むしり器の正面図である。
【図２】本考案の一例である草むしり器の左側面図である。
【図３】本考案の操作説明図（左側面拡大）である。
【考案を実施するための形態】
【００１４】
以下、添付図面に基づいて、本考案について詳細に説明する。
【実施例１】
【００１５】
図１、２に示すように、本考案の一例である草むしり器１は、第１柄２と、第１柄２の下端部に取り付けた断面略弧状で先端に左刃４ｂを備える左挟持部４と、第１柄２に交差して支点８で回動可能にネジなどで連結する第２柄３と、第２柄３の下端部に取り付けた断面略弧状で先端に左刃４ｂと噛み合う右刃５ｂを備える右挟持部５と、左右挟持部４、５の側部に立設し互いに噛み合う左右側面刃６、７とからなる。
【００１６】
第１柄３、第２柄４は、交差して支点８で回動するため、作業者が第１、２柄２、３の上部を握り各柄を近づけたり遠ざけたりすると、左右挟持部４、５及び左右側面刃６、７が開閉する。
柄の長さは、作業者の身長により最適な長さがあるが、概ね１ｍ前後であれば汎用性がある。その素材は、木、プラスチック、金属例えばアルミニウムなどが例示できる。
【００１７】
さらに、第１柄３、第２柄４の支点８部分には凹み２ａ、３ａを設けてある。凹み２ａ、３ａを嵌合して第１、２柄２、３を交差させると、第１、２柄２、３の開閉を制限でき、扱い易い。そして、第１、２柄２、３が木製である場合には、第１、２柄２、３の開閉を繰り返すと、凹み２ａ、３ａ部分が磨耗する。そこで、実施例１のように、凹み２ａ、３ａの磨耗を防ぐため、凹み２ａ、３ａに金属など磨耗しづらい素材の補強プレート９、１０を備えるとよい。
【００１８】
左右挟持部４、５は、作業者が立ったまま草を引き抜くときに使用する草を挟む部分である。左右挟持部４、５の上部に筒４ａ、５ａが連設され、筒４ａ、５ａにそれぞれ第１柄２、第２柄３の下端を挿入して左右挟持部４と第１、２柄２、３をネジなどで連結固定している。筒４ａ、５ａと左右挟持部４、５は一体成形してもよい。筒の長さは５ｃｍ程度あれば強度としては十分である。なお、左右挟持部４、５と第１、２柄２、３の連結手段は、実施例１に限定されるものではない。
【００１９】
左右挟持部４、５の先端は、それぞれ噛み合う左右刃４ｂ、５ｂとなっている。左右刃４ｂ、５ｂで草を挟む。左右刃４ｂ、５ｂの形状は、特に限定されない。本考案では、左右刃４ｂ、５ｂを地中にも刺し、左右刃４ｂ、５ｂで草を挟み根ごと草を引き抜くため、左右刃４ｂ、５ｂの先端は山と谷を交互に設けかつ先端に向けテーパー状にしたものが特に好ましい。
【００２０】
そして、左右挟持部４、５の先端は、端部と先端を結ぶ線が柄に対して、約６０°の位置にあることが好ましい。また、左右挟持部４、５の断面形状は、図２に示すように、下方に向かって凸の略弧状である。このような形状であると左右刃４ｂ、５ｂが地面に突き刺さりやすい。
【００２１】
左右側面刃６、７は、本考案の草むしり器を寝かせて使用したときに、草を挟む部分である。先端６ａ、７ａの形状は左右挟持部４、５と同様に、特に限定されないが、左右側面刃６、７を地中にも刺し、左右側面刃６、７で草を挟み根ごと草を引き抜くため、左右側面刃６、７の先端６ａ、７ａは山と谷を交互に設けかつ先端に向けテーパー状にしたものが特に好ましい。
【００２２】
次に、図３を参照して、草むしり作業について説明する。作業者が、第１、第２柄２、３の上端部を近づけて、左右挟持部４、５及び左右側面刃６、７を開き、左右挟持部４、５（草むしり器１を水平から斜めに寝かして使用する場合には、左右側面刃６、７）を草１２の左右の地面１１上に配置する。
【００２３】
その後、作業者が、第１、第２柄２、４の上端部を遠ざけて左右挟持部（草むしり器１を水平から斜めに寝かして使用する場合には、左右側面刃６、７）を近づける。そのようにすると、左右刃４ｂ、５ｂは地面に突き刺さりながら草１２を挟む。そして、そのまま草むしり器１を引き上げる（草むしり器１を水平から斜めに寝かして使用する場合には、手前に引く）。その結果、草１２を根１２ａごと引き抜くことができる。
【符号の説明】
【００２４】
１      草むしり器
２      第１柄
２ａ    凹み
３      第２柄
３ａ    凹み
４      左挟持部
４ａ    筒
４ｂ    左刃
５      右挟持部
５ａ    筒
５ｂ    右刃
６      左側面刃
６ａ    先端
７      右側面刃
７ａ    先端
８      支点
９      補強プレート
１０    補強プレート
１１    地面
１２    草
１２ａ  根
【図１】
0003167689.tif 000003
【図２】
0003167689.tif 000004
【図３】
0003167689.tif 000005